(57)【要約】  【課題】  マウント面からの像面側への突出量が大きい新レンズ装置に対するミラーの干渉を確実に回避する。  【解決手段】  撮像装置１は、第１のレンズ装置１１４および該第１のレンズ装置よりもマウント面からの像面方向への突出量が大きい第２のレンズ装置１４の着脱が可能であり、装着されたレンズ装置からの光路内に配置される第１の位置および該光路外に配置される第２の位置との間での駆動が可能な第１のミラー３と、該装着されたレンズ装置が第２のレンズ装置であるか否かを判別し、該第２のレンズ装置である場合に第１のミラーの第１および第２の位置間での駆動を禁止する制御手段６とを有する。  【選択図】  図１
2006349804.tif 000002
【特許請求の範囲】
【請求項１】
第１のレンズ装置、および該第１のレンズ装置よりもマウント面からの像面方向への突出量が大きい第２のレンズ装置の着脱が可能な撮像装置であって、
装着されたレンズ装置からの光路内に配置される第１の位置および前記光路外に配置される第２の位置との間での駆動が可能な第１のミラーと、
前記装着されたレンズ装置が前記第２のレンズ装置であるか否かを判別し、該第２のレンズ装置である場合に前記第１のミラーの前記第１および第２の位置間での駆動を禁止する制御手段とを有することを特徴とする撮像装置。
【請求項２】
前記制御手段は、前記第１のミラーが前記第１の位置に配置された状態での撮像を許容することを特徴とする請求項１に記載の撮像装置。
【請求項３】
前記第１のミラーは、前記光路内において前記第１の位置と第３の位置との間での駆動が可能であり、
前記制御手段は、前記第１のミラーが前記第３の位置に配置された状態での撮像を許容することを特徴とする請求項１又は２に記載の撮像装置。
【請求項４】
前記第１の位置に配置された前記第１のミラーを透過した光を反射する前記光路内における第４の位置と、前記光路外に配置される第５の位置との間で駆動可能な第２のミラーを有し、
前記制御手段は、前記第１のミラーが前記第１の位置に配置された状態での前記第２のミラーの前記第４および第５の位置間での駆動を許容することを特徴とする請求項１から３のいずれか１つに記載の撮像装置。
【請求項５】
前記第１のミラーが前記第１の位置に配置された状態で前記光路内に配置されて該第１のミラーを透過した光を反射し、前記第１のミラーが前記第３の位置に配置された状態で前記光路外に配置される第２のミラーを有することを特徴とする請求項３に記載の撮像装置。
【請求項６】
前記第２のレンズ装置は、前記第１のレンズ装置よりもバックフォーカスが短いレンズ装置であることを特徴とする請求項１から５のいずれか１つに記載の撮像装置。
【請求項７】
請求項１から６のいずれか１つに記載の撮像装置と、前記第２のレンズ装置とを有することを特徴とするカメラシステム。
【請求項８】
請求項１から６のいずれか１つに記載の撮像装置に装着可能な前記第２のレンズ装置であることを特徴とするレンズ装置。
【発明の詳細な説明】
【技術分野】
【０００１】
本発明は、レンズ装置の着脱交換が可能な撮像装置に関する。
【背景技術】
【０００２】
一眼レフデジタルカメラ用の交換レンズとして、従来の２４×３６ｍｍアパーチャサイズ対応交換レンズ（以下、従来レンズという）よりも、イメージサークルおよびレンズ後端から焦点面までの距離であるバックフォーカスが小さい交換レンズ（以下、新レンズという）が製品化されている。この新レンズは、小さくなったイメージサークルに応じた、従来よりも小さいサイズの撮像素子を備えたより小型の一眼レフデジタルカメラ用に製造されたものであり、レンズ自体も全体として従来レンズに比べて小型化が図られている。
【０００３】
但し、新レンズでは、カメラに対する装着基準面であるマウント面からの後方、すなわち像面側への突出量が従来の交換レンズよりも大きい。このため、この新レンズを従来のバックフォーカスに対応するカメラ（以下、従来カメラという）に装着すると、撮影光路に対して出入りするように回動するミラー（メインミラー）が、該新レンズの後端部に干渉する。
【０００４】
したがって、これまでは、従来カメラに対して新レンズをメカ的に装着できないようにする手段が採られていた（特許文献１参照）。
【０００５】
一方、特許文献２には、メインミラーを撮影光路内で異なる位置に移動させることにより、メインミラーで反射した光を光学ファインダに導き、メインミラーを透過した光を焦点検出ユニットに導く第１の状態と、メインミラーで反射した光を焦点検出ユニットに導き、メインミラーを透過した光を撮像素子に導く第２の状態とに切り換え可能な一眼レフデジタルカメラが提案されている。このカメラによれば、第２の状態において撮像素子と焦点検出ユニットに光を導くことができるので、これまで光学ファインダによる被写体観察と該光学ファインダに光を導いている状態での焦点検出しかできなかった一眼レフカメラに、電子ファインダによる被写体観察と撮像素子に光を導いている状態での焦点検出の機能を付加することができ、一眼レフカメラの使い勝手を大幅に向上させることができる。
【特許文献１】特開平８−４３９０９号公報（段落００４０、図４等）
【特許文献２】特開２００４−２６４８３２号公報（段落００４２〜００４６、図１〜７等）
【発明の開示】
【発明が解決しようとする課題】
【０００６】
上記特許文献２にて提案されているカメラでは、第２の状態において撮像素子に光を導くことができるため、メインミラーを撮影光路外に移動させなくても撮像を行うことが可能である。したがって、新レンズを装着して第２の状態で撮像を行うことが可能である。
【０００７】
しかしながら、特許文献２のカメラは、メインミラーが撮影光路に対して出入りするように回動する点で従来カメラと同様である。したがって、第２の状態で撮像が行えることを有効に利用しながら、メインミラーの新レンズの後端部に対する干渉を確実に回避する必要がある。
【０００８】
本発明は、マウント面からの像面側への突出量が大きい新レンズ装置に対するミラーの干渉を確実に回避することができるようにした撮像装置を提供することを目的としている。さらに本発明は、そのような干渉を回避しつつ、新レンズ装置を用いた撮像を行うことができるようにした撮像装置を提供することを目的としている。
【課題を解決するための手段】
【０００９】
本発明の一側面としての撮像装置は、第１のレンズ装置および該第１のレンズ装置よりもマウント面からの像面方向への突出量が大きい第２のレンズ装置の着脱が可能な撮像装置であって、装着されたレンズ装置からの光路内に配置される第１の位置および該光路外に配置される第２の位置との間での駆動が可能な第１のミラーと、該装着されたレンズ装置が第２のレンズ装置であるか否かを判別し、該第２のレンズ装置である場合に第１のミラーの第１および第２の位置間での駆動を禁止する制御手段とを有することを特徴とする。
【００１０】
そして、該撮像装置において、第１のミラーが第１の位置に配置された状態での撮像を許容したり、第１のミラーが該光路内の第３の位置に配置された状態での撮像を許容したりしてもよい。
【発明の効果】
【００１１】
本発明によれば、第２のレンズ装置が装着された場合において第１のミラーの光路に対する出し入れ駆動を禁止するので、第１のミラーの第２のレンズ装置に対する当接（干渉）を確実に回避することができる。
【００１２】
また、第１のミラーを光路内に配置した状態での撮像を許容することで、第２のレンズ装置を使用した撮像を行うことができる。
【発明を実施するための最良の形態】
【００１３】
以下、本発明の実施例について図面を参照しながら説明する。
【実施例１】
【００１４】
図１には、本発明の実施例１である撮像装置としての一眼レフカメラを含むカメラシステムの概略構成を示している。１は上記一眼レフカメラ（カメラ本体）である。この一眼レフカメラ１は、前述した従来レンズに対応したカメラである。１４は第２のレンズ装置としての交換レンズである。また、図４には、上記一眼レフカメラの電気的構成を示している。
【００１５】
図１に示すカメラ１において、２はピント板やペンタプリズムや接眼レンズなどを含むファインダ光学系である。
【００１６】
３は交換レンズ１４からの光のうち一部を反射し、他の一部を透過するハーフミラーにより構成される第１のミラーとしてのメインミラーである。４はメインミラー３を透過した光を反射する第２のミラーとしてのサブミラーである。メインミラー３は、図１中に点線で示すように交換レンズ１４からの光が通る撮影光路内において斜め上向きに傾いた位置（以下、第１の位置という）と、実線で示した光路外の位置（以下、第２の位置という）との間で駆動される。また、図２Ｃを用いて後述するように、メインミラー３は、光路内において斜め下向きに傾いた位置（以下、第３の位置という）にも位置する。メインミラー３は、図４に示すミラー駆動モータＭを含む駆動機構によって上記各位置間で駆動される。
【００１７】
サブミラー４は、カム機構等によって構成される不図示の連動機構によって、メインミラー３の駆動に連動して撮影光路の内外に駆動される。
【００１８】
７はレリーズスイッチである。レリーズスイッチ７が半押し操作されると、焦点検出／測光ユニット１２を用いた位相差検出方式等による焦点検出動作や、測光動作が開始される。また、レリーズスイッチ７が全押し操作されると、シャッタ２２の駆動と撮像素子５からの出力に基づく記録用画像の生成、すなわち撮像処理が行われる。
【００１９】
なお、図２Ａ〜図２Ｃに示すように、カメラ１には、第１のレンズ装置としての交換レンズ１１４も装着することができる。この場合において、レリーズスイッチ７が全押し操作されると、メインミラー３およびサブミラー４の撮影光路内の位置から撮影光路外の位置への駆動も行われる。撮像素子５としては、ＣＣＤセンサやＣＭＯＳセンサなどが用いられる。
【００２０】
ここで、交換レンズ１４には、カメラ１に設けられたカメラ側マウント部に対して、バヨネット結合によって装着されるレンズ側マウント部が設けられており、該レンズ側マウント部には、カメラ側マウント部のマウント面１ａに対して当接するマウント面１４ａが形成されている。該交換レンズ１４のうち最も像面側に配置された最終レンズ１５およびこれを保持する部分は、マウント面１４ａからＰ２だけ像面側に突出している。
【００２１】
一方、図２Ａ〜図２Ｃに示す交換レンズ１１４には、交換レンズ１４と共通のレンズ側マウント部が設けられており、交換レンズ１１４のうち最も像面側に配置された最終レンズ１１５およびこれを保持する部分は、該レンズ側マウント部のマウント面１１４ａから、Ｐ２よりも小さいＰ１だけ像面側に突出している。すなわち、交換レンズ１４は、マウント面１４ａから像面側への突出量Ｐ２が、交換レンズ１１４の突出量Ｐ１よりも大きなレンズである。
【００２２】
これは、交換レンズ１４における最終レンズ１５から像面までの距離、すなわちバックフォーカスが、交換レンズ１１４のバックフォーカスよりも短いためである。また、交換レンズ１４により形成されるイメージサークルは、交換レンズ１１４により形成されるイメージサークルよりも小さい。
【００２３】
６はカメラ制御回路であり、ＣＰＵ等を含む。カメラ制御回路６は、レリーズスイッチ７の半押し操作を検出すると、焦点検出／測光ユニット１２からの信号に基づいて焦点検出動作および測光動作を行う。そして、焦点検出結果に基づいて、交換レンズ１４のフォーカス制御情報（フォーカスレンズの駆動量および駆動方向）を演算し、該演算結果を交換レンズ内のレンズ制御回路（図示せず）に送信する。該送信は、カメラ１のマウント部に設けられたカメラ通信端子１３と交換レンズ１４のマウント部に設けられたレンズ通信端子１６を介して行われる。
【００２４】
また、カメラ制御回路６は、測光結果に基づいて交換レンズ１４内の絞り（図示せず）とシャッタ２２の制御情報を演算し、絞りの制御情報をレンズ制御回路に送信する。レンズ制御回路は、これらの制御情報に基づいて、フォーカスレンズや絞りを駆動する。これらのカメラ制御回路６の動作は、交換レンズ１１４が装着された場合も同様に行われる。
【００２５】
また、カメラ制御回路６は、レリーズスイッチ７の全押し操作を検出すると、図４に示すドライバ１８を介してミラー駆動モータＭを制御したり、シャッタ２２の動作を制御したりする。また、撮像素子５に蓄積された電荷の読み出しや該読み出した信号に基づく画像処理回路１９による記録用画像の生成処理、さらに生成された記録用画像の記録媒体１１への記録処理を行う。記録媒体１１は、半導体メモリや光ディスク等により構成され、カメラ１に対して着脱が可能である。記録媒体１１への記録および記録媒体１１からの画像の読み出しは、記録回路２０を介して行われる。
【００２６】
また、記録された画像は、所定時間の間、カメラ１の背面に設けられたＬＣＤ等のディスプレイ９に表示される。
【００２７】
図１および図４において、１０は後述する撮影モードを撮影者に選択させるための撮像位置選択スイッチである。また、図４において、２１はカメラ１の電源をオン／オフするためのメインスイッチである。
【００２８】
図２Ａ〜図２Ｂは、従来のバックフォーカス、すなわち交換レンズ１４（以下、新交換レンズという）よりも長いバックフォーカスを有する交換レンズ１１４（以下、従来交換レンズという）が装着された本実施例のカメラ１の動作を示している。従来交換レンズ１１４が装着されると、カメラ１内のカメラ制御回路６は、従来交換レンズ１１４のレンズ制御回路から、従来のバックフォーカスを有する交換レンズ（マウント面からの後方突出量が小さい従来交換レンズ）であることを判断できる情報を得る。
【００２９】
図２Ａは、メインミラー３が第１の位置に配置された状態を示している。この状態では、従来交換レンズ１１４からの被写体光の一部がメインミラー３によって反射される。また、被写体光の他の一部はメインミラー３を透過し、該透過光は、メインミラー３の背後の光路内位置に配置されたサブミラー４によって焦点検出／測光ユニット１２に向かって反射される。これにより、ファインダ光学系２による被写体観察と、焦点検出および測光が可能である。そして、従来交換レンズ１１４では、カメラ制御回路６から焦点検出結果および測光結果に基づくフォーカス制御情報および絞り制御情報を受けてフォーカス駆動および絞り駆動を行う。また、カメラ制御回路６は、測光結果に基づいてシャッタ制御情報を生成する。この状態では、サブミラー４が光路中に存在するため、撮像素子５による撮像はできない。
【００３０】
図２Ｂは、メインミラー３が第２の位置に配置された状態を示している。この状態では、メインミラー３とサブミラー４は、光路外に退避するように上方に跳ね上げられている。
【００３１】
図２Ａの状態において撮像位置選択スイッチ１０の操作によってこの状態での撮像が選択されると、メインミラー３およびサブミラー４のこの撮像位置が図４に示すメモリ１７に記憶される。カメラ制御回路６は、装着された交換レンズが従来交換レンズ１１４であることを判断できる情報を予め得ており、この場合は、メインミラー３を第１の位置から第２の位置に駆動しても交換レンズ１１４の後端部にメインミラー３やサブミラー４が衝突しない。このため、図２Ａの状態でレリーズボタン７の全押し操作による撮影指令を受けると、ドライバ８を介してミラー駆動モータＭを駆動し、メインミラー３およびサブミラー４を図２Ａの位置から図２Ｂの位置へと回動させる。
【００３２】
カメラ制御回路６は、図２Ｂの状態になった後、図２Ａの状態で生成したシャッタ制御情報に基づいてシャッタ２２を制御するとともに撮像素子５の駆動を制御する。このため、従来交換レンズ１１４からの被写体光が十分に撮像素子５に到達し、明るく高精細な静止画像を撮像することができる。
【００３３】
図２Ｂの状態での撮像（撮像素子５の露光）が終了してシャッタ２２が閉じると、カメラ制御回路６は、ドライバ８を介してミラー駆動モータＭを駆動し、メインミラー３およびサブミラー４を図２Ａの状態へ戻す。
【００３４】
図２Ｃは、メインミラー３が第３の位置に配置された状態を示している。この状態では、従来交換レンズ１１４からの被写体光の一部がメインミラー３を透過して撮像素子５に到達するとともに、被写体光の他の一部が焦点検出／測光ユニット１２に向けて反射される。これにより、電子ビューファインダとしてのディスプレイ９による被写体観察と、焦点検出および測光が可能である。また、この状態では、サブミラー４は光路外に退避しているため、メインミラー３を透過した被写体光を用いて撮像素子５による撮像（例えば、高速連続撮影や動画撮影）も可能である。
【００３５】
この状態での被写体観察からそのまま撮像を行う場合には、カメラ制御回路６は焦点検出および測光を行い、これらの結果に基づくフォーカス制御情報および絞り制御情報を従来交換レンズ１１４に送信する。また、カメラ制御回路６は、測光結果に基づいてシャッタ制御情報を生成する。
【００３６】
一方、図２Ａに示す状態で撮像位置選択スイッチ１０の操作により図２Ｃに示す状態での撮像が選択された場合は、メインミラー３およびサブミラー４の図２Ｃの撮像位置が図４に示すメモリ１７に記憶される。そして、レリーズボタン７の全押し操作による撮影指令を受けると、ドライバ８を介してミラー駆動モータＭを駆動し、メインミラー３およびサブミラー４を図２Ａの位置から図２Ｃの位置へと移動させる。このとき、図中に丸で示すメインミラー３の回動軸を撮像素子５側から前進させつつ、メインミラー３を後方に回動させる。また、サブミラー４は、光路内位置から光路外位置へと退避する。
【００３７】
カメラ制御回路６は、図２Ｃの状態になった後、図２Ａの状態で生成したシャッタ制御情報に基づいてシャッタ２２を制御するとともに撮像素子５の駆動を制御して、撮像を行う。
【００３８】
図２Ｃの状態での撮像（撮像素子５の露光）が終了してシャッタ２２が閉じると、カメラ制御回路６は、ドライバ８を介してミラー駆動モータＭを駆動し、メインミラー３およびサブミラー４を図２Ａの状態へ戻す。
【００３９】
以上のように、本実施例のカメラでは、図２Ａに示す状態を初期状態として図２Ｂに示す状態と図２Ｃに示す状態とに切り換えが可能である。そして、図２Ｂに示す状態又は図２Ｃに示す状態に駆動した後は、初期状態に戻る。
【００４０】
図３Ａ〜図３Ｂは、新交換レンズ１４が装着された本実施例のカメラ１の動作を示している。新交換レンズ１４が装着されると、カメラ１内のカメラ制御回路６は、新交換レンズ１４のレンズ制御回路から、従来よりもバックフォーカスが短い交換レンズ（マウント面からの後方突出量が大きい新交換レンズ）であることを判断できる情報を得る。
【００４１】
図３Ａは、図２Ａと同様に、メインミラー３が第１の位置に配置された状態を示している。この状態では、新交換レンズ１４からの被写体光の一部がメインミラー３によって反射される。また、被写体光の他の一部はメインミラー３を透過し、該透過光は、メインミラー３の背後の光路内位置に配置されたサブミラー４によって焦点検出／測光ユニット１２に向かって反射される。これにより、図２Ａで説明したように、ファインダ光学系２による被写体観察と、焦点検出および測光が可能である。そして、新交換レンズ１４では、カメラ制御回路６から焦点検出結果および測光結果に基づくフォーカス制御情報および絞り制御情報を受けてフォーカス駆動および絞り駆動を行う。また、カメラ制御回路６は、測光結果に基づいてシャッタ制御情報を生成する。この状態では、サブミラー４が光路中に存在するため、撮像素子５による撮像はできない。
【００４２】
図３Ｂは、図２Ｂに対応する状態を示している。但し、新交換レンズ１４が装着されている場合に、メインミラー３を第１の位置から第２の位置に向けて回動させると、該メインミラー３（場合によってはさらにサブミラー４）が新交換レンズ１４の後端部に衝突してしまう。したがって、カメラ制御回路６は、新交換レンズ１４が装着されていることが判断できる情報が取得されている場合には、撮像位置選択スイッチ１０によって図３Ｂの状態での撮像が選択されても、メインミラー３およびサブミラー４の図３Ａの位置（第１の位置）から図３Ｂの位置（第２の位置）への回動を禁止し、図３Ｂの状態での撮像を不可とする。
【００４３】
さらに、カメラ制御回路６は、メインミラー３およびサブミラー４の図３Ｂの位置から図３Ａの位置への回動も禁止する。
【００４４】
図３Ｃは、メインミラー３が第３の位置に配置された状態を示している。この状態では、新交換レンズ１４からの被写体光の一部がメインミラー３を透過して撮像素子５に到達するとともに、被写体光の他の一部が焦点検出／測光ユニット１２に向けて反射される。これにより、電子ビューファインダとしてのディスプレイ９による被写体観察と、焦点検出および測光が可能である。また、この状態では、サブミラー４は光路外に退避しているため、メインミラー３を透過した被写体光を用いて撮像素子５による撮像（例えば、高速連続撮影や動画撮影）も可能である。
【００４５】
この状態での被写体観察からそのまま撮像を行う場合には、カメラ制御回路６は焦点検出および測光を行い、これらの結果に基づくフォーカス制御情報および絞り制御情報を新交換レンズ１４に送信する。また、カメラ制御回路６は、測光結果に基づいてシャッタ制御情報を生成する。
【００４６】
一方、図３Ａに示す状態で撮像位置選択スイッチ１０の操作により図３Ｃに示す状態での撮像が選択された場合、メインミラー３およびサブミラー４の図３Ｃの撮像位置が図４に示すメモリ１７に記憶される。そして、レリーズボタン７の全押し操作による撮影指令を受けると、ドライバ８を介してミラー駆動モータＭを駆動し、メインミラー３およびサブミラー４を図３Ａの位置から図３Ｃの位置へと移動させる。このとき、図中に丸で示すメインミラー３の回動軸を撮像素子５側から前進させつつ、メインミラー３を後方に回動させる。また、サブミラー４は、光路内位置から光路外位置へと退避する。
【００４７】
ここで、図３Ａの状態から図３Ｃの状態への移行に際しては、メインミラー３およびサブミラー４が新交換レンズ１４の後端部に衝突することはない。したがって、カメラ制御回路６は、メインミラー３およびサブミラー４の図３Ａの位置から図３Ｃの位置への駆動は許容する。
【００４８】
カメラ制御回路６は、図３Ｃの状態になった後、図３Ａの状態で生成したシャッタ制御情報に基づいてシャッタ２２を制御するとともに撮像素子５の駆動を制御して、撮像を行う。
【００４９】
図３Ｃの状態での撮像（撮像素子５の露光）が終了してシャッタ２２が閉じると、カメラ制御回路６は、ドライバ８を介してミラー駆動モータＭを駆動し、メインミラー３およびサブミラー４を図３Ａの初期位置へ戻す。この図３Ｃの状態から図３Ａの状態への移行に際しても、メインミラー３およびサブミラー４が新交換レンズ１４の後端部に衝突することはないので、カメラ制御回路６は、メインミラー３およびサブミラー４の図３Ｃの位置から図３Ａの位置への復帰駆動は許容する。これにより、従来交換レンズ対応のカメラ１において、新交換レンズ１４を使用した撮像を可能とするとともに、新交換レンズ１４の後端部とメインミラー３およびサブミラー４の衝突（干渉）を確実に回避することができる。
【００５０】
なお、前述した図３Ａの状態において、図３Ｂの状態への移行を禁止した場合、カメラ制御回路６は、レリーズボタン７の全押し操作による撮影指令を受けたときに、そのまま撮像動作を行わないようにしてもよいし、図３Ｃの状態に自動的に移行させて撮像動作を行うようにしてもよい。
【００５１】
図５には、本実施例のカメラ１におけるカメラ制御回路６の処理シーケンスを示している。この処理シーケンスは、カメラ制御回路６内又は外部に設けられた不図示のメモリに格納されたコンピュータプログラムに従って実行される。また、図５中の「Ｓ」はステップを意味する。
【００５２】
カメラ１に交換レンズ（１４又は１１４）が装着されると、カメラ制御回路６は、レンズ制御回路との初期通信により、該交換レンズの各種情報（レンズ情報）を取得する（Ｓ５０１）。このレンズ情報の中には、装着された交換レンズが、新交換レンズ１４か従来交換レンズ１１４かを示すレンズ識別情報が含まれている。例えば、交換レンズの型式名やバックフォーカス長を示す情報でもよい。カメラ制御回路６は、レンズ情報をメモリ１７に記憶する（Ｓ５０２）。
【００５３】
次に、カメラ制御回路６は、レンズ識別情報が新交換レンズ（ショートバックフォーカスレンズ）１４を示しているか従来交換レンズ（ロングバックフォーカスレンズ）１１４を示しているかを判別する（Ｓ５０３）。新交換レンズ１４である場合には、撮像位置選択スイッチ１０により選択されている撮像位置が図３Ｃに示す位置（撮像位置Ｃ）か図３Ｂに示す位置（撮像位置Ｂ）かを判別し（Ｓ５０４）、撮像位置Ｂである場合は、警告動作として、ディスプレイ９に図３Ｂに示す位置での撮像ができない旨を示す警告表示を行ったり、不図示のスピーカから警告音を出力したりする（Ｓ５０５）。また、このとき、ディスプレイ９に、ガイド表示として、図３Ｂに示す位置での撮像ができない理由がショートバックフォーカスレンズを用いているからであることを表示したり、撮像位置を図３Ｃの位置に変更することで撮像が可能になることなどを表示したりしてもよい。
【００５４】
一方、Ｓ５０４において装着された交換レンズが従来交換レンズ１１４と判別した場合およびＳ５０４において選択されている撮像位置が撮像位置Ｃであると判別したとき、さらにＳ５０５での警告動作が終了した後は、レリーズスイッチ７が半押し操作されているか否かを判別する（Ｓ５０６）。
【００５５】
レリーズスイッチ７が操作されていないときは、Ｓ５１７に進む。レリーズスイッチ７が半押し操作されているときは、撮像位置選択スイッチ１０により選択されている撮像位置が、装着されている交換レンズに対して、ミラー３，４との接触が起こらない撮像位置か否かを判別する（Ｓ５０７）。すなわち、新交換レンズ１４が装着されている場合において、撮像位置Ｃが選択されているか否かを判別する。従来交換レンズ１１４が装着されている場合は、図２Ｂ，２Ｃに示す撮像位置Ｂ，Ｃのいずれかが選択されていてもミラー３，４との接触が起こらないので、選択された撮像位置をメモリ１７に記憶してＳ５０８に進む。
【００５６】
新交換レンズ１４が装着され、ミラー３，４との接触が起こる撮像位置Ｂが選択されている場合は、再度警告動作を行う（Ｓ５１５）。そして、図３Ａに示す位置から図３Ｂに示す位置へのミラー３，４の駆動を禁止する（Ｓ５１６）。その後、Ｓ５１７に進む。
【００５７】
Ｓ５０７において、新交換レンズ１４に対してミラー３，４との接触が起こらない撮像位置Ｃが選択されている場合は、Ｓ５０８に進む。
【００５８】
Ｓ５０８では、カメラ制御回路６は、図２Ａ又は図３Ａの状態において、焦点検出／測光ユニット１２を通じて焦点検出と測光を行い、これらの結果に基づいて生成したフォーカス制御情報や絞り制御情報を交換レンズのレンズ制御回路に送信する。また、測光結果に基づいてシャッタ制御情報等も生成する。
【００５９】
次に、レリーズスイッチ７の全押し操作が行われることを条件として、選択されている撮像位置に対応する位置にミラー３，４を駆動する（Ｓ５０９）。
【００６０】
そして、ミラー３，４の駆動終了を確認した後、カメラ制御回路６は、シャッタ２２を駆動して撮像動作を行う（Ｓ５１０）。
【００６１】
こうして撮像動作を完了すると、撮像素子５から読み出した電荷信号に対して画像生成や画像圧縮等の処理がなされ（Ｓ５１２）、生成された圧縮記録用画像を記録媒体１１に記憶させる（Ｓ５１３）また、記録される画像を、一時的にディスプレイ９に表示させる（Ｓ５１４）。この後、Ｓ５１７に進む。
【００６２】
Ｓ５１７では、撮像位置選択スイッチ１０の状態に変化があったか否か、つまり撮像位置が変更されたか否かを判別する。撮像位置が変更されていない場合はＳ５２３に進み、変更された場合は、装着されている交換レンズが新交換レンズ１４か否かを判別する（Ｓ５１８）。新交換レンズ１４が装着されている場合は、Ｓ５２１に進む。また、従来交換レンズ１１４が装着されている場合は、撮像位置選択スイッチ１０により選択されている撮像位置をメモリ１７に記憶させ（Ｓ５１９）、ディスプレイ９に撮像位置が変更されたことを表示する（Ｓ５２０）。そして、Ｓ５２３に進む。
【００６３】
Ｓ５２１では、交換レンズ１４に対してミラー３，４の接触が生じない撮像位置Ｃが選択されているか、該接触が生じる撮像位置Ｂが選択されているかを判別する。撮像位置Ｃが選択されている場合は、Ｓ５１９に進む。一方、撮像位置Ｂが選択されている場合は、Ｓ５２２に進み、Ｓ５１５と同様の警告動作を行う。そして、Ｓ５２３に進む。
【００６４】
Ｓ５２３では、メインスイッチ２１の検出を行う。メインスイッチ２１のオフを検出したときは、本シーケンスを終了する。また、メインスイッチ２１のオフが検出されない場合は、Ｓ５０１に戻る。
【実施例２】
【００６５】
図６には、本発明の実施例２であるカメラにおける処理シーケンスの一部を示している。本実施例は、実施例１において図５に示した処理シーケンスのうちＳ５０４およびＳ５０５の部分の変形例を示す。
【００６６】
図５のＳ５０３で、カメラ制御回路６が新交換レンズ１４が装着されていると判別した場合、図６のＳ６０１に進む。Ｓ６０１では、撮像位置選択スイッチ１０によって選択された撮像位置が、装着された新交換レンズ１４に対するミラー３，４の接触が起こらない撮像位置Ｃか該接触が起こる撮像位置Ｂかを判別する。撮像位置Ｃが選択されている場合は、そのまま図５のＳ５０６に進む。
【００６７】
一方、撮像位置Ｂが選択されている場合は、カメラ制御回路６は、ディスプレイ９に撮像位置を撮像位置Ｃに変更するか否かを表示させ（Ｓ６０２）、撮影者に撮像位置の変更を促す。該表示の開始後、所定時間が経過しても撮像位置選択スイッチ１０による撮像位置の変更が行われない場合は、図５のＳ５１５と同様の警告動作を行い、図５に示すＳ５０６に進む。
【００６８】
上記所定時間の経過前に撮像位置選択スイッチ１０により撮像位置がＣに変更された場合は、その撮像位置Ｃをメモリ１７に記憶させ（Ｓ６０３）、ディスプレイ９に撮像位置がＣに変更されたことを表示する（Ｓ６０４）。そして、Ｓ５０６に進む。
【００６９】
本実施例によれば、新交換レンズ１４を装着した時点で、ミラー３，４との接触が生じない撮像位置の選択又は変更をカメラ１が促すため、新交換レンズ１４を使用する際に撮影者にどの撮像位置を選択すればよいかを迷わせないようにすることができ、撮影者にとってきわめて使い易いカメラを実現することができる。
【実施例３】
【００７０】
図７には、本発明の実施例３であるカメラにおける処理シーケンスの一部を示している。本実施例は、実施例１において図５に示した処理シーケンスのうちＳ５０４およびＳ５０５の部分の変形例を示す。
【００７１】
図５のＳ５０３で、カメラ制御回路６が新交換レンズ１４が装着されていると判別した場合は、図７のＳ７０１に進む。Ｓ７０１では、撮像位置選択スイッチ１０によって選択された撮像位置が、装着された新交換レンズ１４に対するミラー３，４の接触が起こらない撮像位置Ｃか該接触が起こる撮像位置Ｂかを判別する。撮像位置Ｃが選択されている場合は、そのまま図５のＳ５０６に進む。
【００７２】
一方、撮像位置Ｂが選択されている場合は、カメラ制御回路６は、強制的に（自動的に）、メモリ１７に記憶されている撮像位置Ｂを撮像位置Ｃに変更する（Ｓ７０２）。そして、ディスプレイ９に撮像位置がＣに変更されたことを表示し（Ｓ７０３）、その後、図５のＳ５０６に進む。
【００７３】
このように、新交換レンズ１４の使用時において撮影者が撮像位置Ｂを選択した場合に、カメラ１が自動的に撮像位置をＣに変更するため、撮影者による撮像位置の変更操作を必要とすることなく、適正な撮像位置での撮像が可能となる。
【実施例４】
【００７４】
図８には、本発明の実施例４であるカメラにおける新交換レンズ１４が装着された場合の動作を示している。なお、本実施例のカメラ１′の基本的構成は実施例１と同じであるが、メインミラー１４は第１の位置と第２の位置との間でのみ駆動される点、およびサブミラー４′がメインミラー３とは独立して撮影光路内の位置（第４の位置）と撮影光路外の位置（第５の位置）との間で駆動される点で実施例１と異なる。実施例１と共通する構成要素については実施例１と同符号を付して説明に代える。
【００７５】
新交換レンズ１４が装着されると、カメラ１′内のカメラ制御回路６は、新交換レンズ１４のレンズ制御回路から、従来よりもバックフォーカスが短い交換レンズ（マウント面からの後方突出量が大きい新交換レンズ）であることを判断できる情報を得る。
【００７６】
図８Ａは、実施例１の図３Ａと同様に、メインミラー３が第１の位置に配置された状態を示している。この状態では、新交換レンズ１４からの被写体光の一部がメインミラー３によって反射される。また、被写体光の他の一部はメインミラー３を透過し、該透過光は、メインミラー３の背後の光路内位置に配置されたサブミラー４′によって焦点検出／測光ユニット１２に向かって反射される。これにより、図３Ａで説明したように、ファインダ光学系２による被写体観察と、焦点検出および測光が可能である。そして、新交換レンズ１４では、カメラ制御回路６から焦点検出結果および測光結果に基づくフォーカス制御情報および絞り制御情報を受けてフォーカス駆動および絞り駆動を行う。また、カメラ制御回路６は、測光結果に基づいてシャッタ制御情報を生成する。この状態では、サブミラー４′が光路中に存在するため、撮像素子５による撮像はできない。
【００７７】
図８Ｂは、メインミラー３が第２の位置に回動し、サブミラー４′が撮影光路外に退避した状態を示している。但し、新交換レンズ１４が装着されている場合に、メインミラー３を第１の位置から第２の位置に向けて回動させると、該メインミラー３が新交換レンズ１４の後端部に衝突してしまう。したがって、カメラ制御回路６は、新交換レンズ１４が装着されていることが判断できる情報が取得されている場合には、撮像位置選択スイッチ１０によって図８Ｂの状態での撮像が選択されても、メインミラー３の図８Ａの位置（第１の位置）から図８Ｂの位置（第２の位置）への回動を禁止し、図８Ｂの状態での撮像を不可とする。さらに、カメラ制御回路６は、メインミラー３の図８Ｂの位置から図８Ａの位置への回動も禁止する。
【００７８】
図８Ｃは、メインミラー３が第１の位置に配置されたまま、サブミラー４′が光路外位置に退避した状態を示している。この状態では、新交換レンズ１４からの被写体光の一部がメインミラー３を透過して撮像素子５に到達する。これにより、電子ビューファインダとしてのディスプレイ９による被写体観察が可能となる。また、この状態では、サブミラー４′は撮影光路外に退避しているため、メインミラー３を透過した被写体光を用いて撮像素子５による撮像（例えば、高速連続撮影や動画撮影）も可能である。
【００７９】
図８Ａに示す状態での撮像位置選択スイッチ１０の操作により図８Ｃに示す状態での撮像が選択された場合、メインミラー３およびサブミラー４′の図８Ｃの撮像位置が図４に示すメモリ１７に記憶される。そして、レリーズボタン７の全押し操作による撮影指令を受けると、メインミラー用とは別に設けられたサブミラー駆動モータＭ１を駆動し、サブミラー４′を図８Ａの位置から図８Ｃの位置へと移動させる。
【００８０】
ここで、図８Ａの状態から図８Ｃの状態への移行に際しては、メインミラー３を回動させないため、該メインミラー３が新交換レンズ１４の後端部に衝突することはない。サブミラー４′も撮像素子５に近い位置で回動するため、新交換レンズ１４の後端部に衝突することはない。したがって、カメラ制御回路６は、図８Ａの状態から図８Ｃの状態へのサブミラー４′の駆動は許容する。
【００８１】
カメラ制御回路６は、図８Ｃの状態になった後、図８Ａの状態で生成したシャッタ制御情報に基づいて、図４に示したシャッタ２２を制御するとともに撮像素子５の駆動を制御して、撮像を行う。
【００８２】
図８Ｃの状態での撮像（撮像素子５の露光）が終了してシャッタ２２が閉じると、カメラ制御回路６は、サブミラー駆動モータＭ１を駆動し、サブミラー４′を図８Ａの初期位置へ戻す。この図８Ｃの状態から図８Ａの状態への移行に際しても、回動されないメインミラー３はもとより、サブミラー４′も新交換レンズ１４の後端部に衝突することはないので、カメラ制御回路６は、図８Ｃの状態から図８Ａの状態への復帰駆動は許容する。これにより、従来交換レンズ対応のカメラ１′において、新交換レンズ１４を使用した撮像を可能とするとともに、新交換レンズ１４の後端部とメインミラー３およびサブミラー４′の衝突（干渉）を確実に回避することができる。
【００８３】
なお、前述した図８Ａの状態において、撮像位置選択スイッチ１０により図８Ｂの状態での撮像が選択されているが図８Ｂの状態への移行を禁止した場合に、カメラ制御回路６は、レリーズボタン７の全押し操作による撮影指令を受けたときにそのまま撮像動作を行わないようにしてもよいし、実施例１と同様に、撮影者に図８Ｃの撮像位置への変更を促したり、強制的（自動的）に図８Ｃの状態に移行させて撮像動作を行うようにしてもよい。
【００８４】
本実施例のカメラ１′にも、上記実施例で説明した従来交換レンズ１１４を装着することが可能である。この場合は、図８Ａの状態から図８Ｂの状態、すなわちメインミラー３およびサブミラー４′が撮影光路外に退避する状態に移行してもメインミラー３およびサブミラー４′が従来交換レンズ１１４の後端部に衝突することはない。したがって、従来交換レンズ１１４が装着されている場合は、図８Ａの状態と図８Ｂの状態との間でのメインミラー３およびサブミラー４′の駆動および図８Ｂの状態での撮像を許容する。
【００８５】
また、図８Ａの状態から図８Ｃの状態に移行しても、メインミラー３およびサブミラー４′が従来交換レンズ１１４の後端部に衝突することはない。したがって、従来交換レンズ１１４が装着されている場合は、図８Ａの状態と図８Ｃの状態との間でのサブミラー４′の駆動および図８Ｃの状態での撮像を許容する。
【００８６】
本実施例によれば、従来交換レンズ対応のカメラ１′において、新交換レンズ１４を使用した撮像を可能とするとともに、新交換レンズ１４の後端部とメインミラー３およびサブミラー４′の衝突（干渉）を確実に回避することができる。
【図面の簡単な説明】
【００８７】
【図１】本発明の実施例１である一眼レフデジタルカメラを含むカメラシステムの構成を示す図。
【図２Ａ】実施例１のカメラにおいて、従来レンズが装着され、メインミラーが第１の位置に配置された状態を示す図。
【図２Ｂ】実施例１のカメラにおいて、従来レンズが装着され、メインミラーが第２の位置に配置された状態を示す図。
【図２Ｃ】実施例１のカメラにおいて、従来レンズが装着され、メインミラーが第３の位置に配置された状態を示す図。
【図３Ａ】実施例１のカメラにおいて、新レンズが装着され、メインミラーが第１の位置に配置された状態を示す図。
【図３Ｂ】実施例１のカメラにおいて、新レンズが装着され、メインミラーの第２の位置への駆動が禁止された状態を示す図。
【図３Ｃ】実施例１のカメラにおいて、新レンズが装着され、メインミラーが第３の位置に配置された状態を示す図。
【図４】実施例１のカメラの電気的構成を示すブロック図。
【図５】実施例１のカメラの処理シーケンスを示すフローチャート。
【図６】本発明の実施例２である一眼レフデジタルカメラレンズの処理シーケンスを示すフローチャート。
【図７】本発明の実施例３である一眼レフデジタルカメラレンズの処理シーケンスを示すフローチャート。
【図８Ａ】本発明の実施例４の一眼レフデジタルカメラにおいて、新レンズが装着され、メインミラーが第１の位置に、サブミラーが第４の位置にそれぞれ配置された状態を示す図。
【図８Ｂ】実施例４のカメラにおいて、新レンズが装着され、メインミラーの第２の位置への駆動が禁止された状態を示す図。
【図８Ｃ】実施例４のカメラにおいて、新レンズが装着され、メインミラーが第１の位置に、サブミラーが第５の位置にそれぞれ配置された状態を示す図。
【符号の説明】
【００８８】
１，１′  カメラ
２  ファインダ光学系
３  メインミラー
４，４′  サブミラー
５  撮像素子
６  カメラ制御回路
７  レリーズスイッチ
９  ディスプレイ
１０  撮像位置選択スイッチ
１２  焦点検出／測光ユニット
１４  新交換レンズ
１５  最終レンズ
１１４  従来交換レンズ
【図１】
2006349804.tif 000003
【図２Ａ】
2006349804.tif 000004
【図２Ｂ】
2006349804.tif 000005
【図２Ｃ】
2006349804.tif 000006
【図３Ａ】
2006349804.tif 000007
【図３Ｂ】
2006349804.tif 000008
【図３Ｃ】
2006349804.tif 000009
【図４】
2006349804.tif 000010
【図５】
2006349804.tif 000011
【図６】
2006349804.tif 000012
【図７】
2006349804.tif 000013
【図８Ａ】
2006349804.tif 000014
【図８Ｂ】
2006349804.tif 000015
【図８Ｃ】
2006349804.tif 000016